(57)【特許請求の範囲】
【請求項１】
上方に臨んでレール（１２）に形成されるガイド面（２６）上を転動するローラ（２７）が、前記レール（１２）に沿って走行するチェーン（１５）に連結されたトロリー（１３）の上部に軸支され、ワーク（Ｗ）を吊下げるハンガー（１４）が前記トロリー（１３）の下部に連結されるオーバーヘッドコンベアにおいて、
前記ガイド面（２６）上を転動して該ガイド面（２６）上の磁性粉を吸着可能な一対の磁気ローラ（２９Ｆ，２９Ｒ）が、前記トロリー（１３）の移動方向（２８）に沿って相互に間隔をあけた位置で前記トロリー（１３）に支持され、
各々の前記磁気ローラ（２９Ｆ，２９Ｒ）は、Ｎ極およびＳ極を両端に有する複数の円盤状の永久磁石（３２）が、それらの永久磁石（３２）相互間に非磁性材から成るスペーサ（３３）を配置して同軸に連結されて成り、
一方の前記磁気ローラ（２９Ｆ）のスペーサ（３３）を他方の前記磁気ローラ（２９Ｒ）の永久磁石（３２）に対応させるように、その両磁気ローラ（２９Ｆ，２９Ｒ）が、それらローラ（２９Ｆ，２９Ｒ）の回転軸線に沿う方向で相互にオフセットして配置されることを特徴とする、オーバーヘッドコンベアにおけるレール清掃装置。
【発明の詳細な説明】
【０００１】
【発明の属する技術分野】
本発明は、上方に臨んでレールに形成されるガイド面上を転動するローラが、前記レールに沿って走行するチェーンに連結されたトロリーの上部に軸支され、ワークを吊下げるハンガーが前記トロリーの下部に連結されるオーバーヘッドコンベアに関し、特にレールのガイド面上に堆積する鉄粉等の磁性粉を除去するようにしたレール清掃装置の改良に関する。
【０００２】
【従来の技術】
オーバーヘッドコンベアが備えるレールのガイド面上には、レールおよびチェーンの接触摩耗等に起因して発生した鉄粉や、鉄粉にオイルが付着したオイルかす等が堆積しており、ガイド面上のローラの円滑な転動を保証するために、前記鉄粉およびオイルかす等を除去する必要がある。
【０００３】
このような鉄粉およびオイルかす等の除去にあたり、従来では、ガイド面上にエアーを吹き付け得るエアーブロー装置をチェーンに連結し、チェーンの走行に応じてエアーブロー装置からのエアーブローでガイド面上の鉄粉およびオイルかす等を除去するようにしている。
【０００４】
【発明が解決しようとする課題】
ところが、上記従来のようなエアーブローによる清掃では、チェーンの走行に応じて移動するエアーブロー装置にエアー源からエアーを供給するための構造が複雑であり、ガイド面をその全長にわたって清掃することが困難であり、しかも飛散した鉄粉やオイルかす等が、オーバーヘッドコンベアの周辺設備に付着したり、オーバーヘッドコンベアで搬送するワークに落下、付着して二次的不良を発生させる要因ともなる。
【０００５】
本発明は、かかる事情に鑑みてなされたものであり、鉄粉やオイルかす等を飛散させない簡単な構造で、レールのガイド面を効率よく清掃し得るようにしたオーバーヘッドコンベアにおけるレール清掃装置を提供することを目的とする。
【０００６】
【課題を解決するための手段】
上記目的を達成するために、請求項１記載の発明は、上方に臨んでレールに形成されるガイド面上を転動するローラが、前記レールに沿って走行するチェーンに連結されたトロリーの上部に軸支され、ワークを吊下げるハンガーが前記トロリーの下部に連結されるオーバーヘッドコンベアにおいて、前記ガイド面上を転動して該ガイド面上の磁性粉を吸着可能な一対の磁気ローラが、前記トロリーの移動方向に沿って相互に間隔をあけた位置で前記トロリーに支持され、各々の前記磁気ローラは、Ｎ極およびＳ極を両端に有する複数の円盤状の永久磁石が、それらの永久磁石相互間に非磁性材から成るスペーサを配置して同軸に連結されて成り、一方の前記磁気ローラのスペーサを他方の前記磁気ローラの永久磁石に対応させるように、その両磁気ローラが、それらローラの回転軸線に沿う方向で相互にオフセットして配置されることを特徴とする。
【０００７】
このような構成によれば、トロリーの上部に軸支されたローラが、チェーンの走行に応じてレールのガイド面上を転動すると、そのガイド面上を磁気ローラが転動することになり、ガイド面上に堆積していた鉄粉やオイルかす等が磁気ローラに吸着、除去される。この結果、ガイド面上の鉄粉やオイルかす等が、ガイド面上から飛散することなく効率よく除去されることになり、鉄粉やオイルかす等がオーバーヘッドコンベアの周辺設備に付着したり、オーバーヘッドコンベアで搬送するワークに落下、付着して二次的不良を発生させたりすることがなく、しかも磁気ローラをトロリーに支持するだけの簡単な構造であり、ガイド面をその全長にわたって容易に清掃することができる。
【０００８】
また特にトロリーの移動方向に沿って間隔をあけた位置に配置される一対の磁気ローラが、一方の磁気ローラのスペーサを他方の磁気ローラの永久磁石に対応させるように相互にオフセットして配置されるので、一方の磁気ローラで除去し得なかった鉄粉やオイルかす等を、他方の磁気ローラで吸着、除去するようにして、ガイド面上の鉄粉やオイルかす等を確実に除去することができる。
【０００９】
【発明の実施の形態】
以下、本発明の実施の形態を、添付の図面に示した参考例及び本発明の実施例に基づいて説明する。
【００１０】
図１〜図４は参考例を示すものであり、図１はオーバーヘッドコンベアの側面図、図２は図１の２矢視拡大図、図３は図２の３矢視拡大図、図４は磁気ローラの正面図である。
【００１１】
先ず図１および図２において、このオーバーヘッドコンベアは、たとえば自動二輪車用の燃料タンクであるワークＷ，Ｗを、たとえば塗装ラインで搬送するためのものであり、床面の上方に固定配置された支持枠１１の上部に設けられたレール１２に沿って移動し得る複数のトロリー１３…と、たとえば一対ずつのワークＷ，Ｗをそれぞれ吊下げ支持するようにして各トロリー１３…の下部に連結されるハンガー１４…と、前記レール１２に沿って走行するようにして複数の前記トロリー１３…に連結されるチェーン１５とを備える。
【００１２】
図３を併せて参照して、ハンガー１４は、トロリー１３の下部に水平軸線まわりの回動を可能として連結される上部ハンガー１６と、上部ハンガー１６の下部に鉛直軸線まわりの回動を可能として上部が連結される中間ハンガー１７と、中間ハンガー１７の下部に前記上部ハンガー１６の回動軸線と平行な水平軸線まわりの回動を可能として上部が連結される下部ハンガー１８とから成る。
【００１３】
下部ハンガー１８の下端にはフック１９が固着されており、一対のワークＷ，Ｗを上下に間隔をあけた位置で着脱可能に保持するワーク保持具２０の上端が、前記フック１９に係脱可能に係合される。
【００１４】
中間ハンガー１７の上部にはギヤ２１が固定されており、トロリー１３の移動時に所定位置に配置されたギヤ（図示せず）が前記ギヤ２１に噛合することで、中間ハンガー１７および下部ハンガー１８が鉛直軸線まわりに回動し、それによりワークＷ，Ｗの軸線まわりの姿勢が変化することになる。また中間ハンガー１７の中間部には、中間ハンガー１７および下部ハンガー１８の鉛直軸線まわりの位置を所定位置で一定に定めるためのガイドローラ２２，２２が軸支され、さらに中間ハンガー１７の下部には、中間ハンガー１７および下部ハンガー１８の鉛直軸線まわりの位置を定めるための規制板２３が前記両ガイドローラ２２，２２の配列方向と平行な方向に長く延びるようにして固着される。さらに下部ハンガー１８の上部にはワークＷ，Ｗの上方を覆う傘状のカバー２４が固着される。
【００１５】
チェーン１５の上方に配置されるレール１２は、上方に臨むガイド面２６，２６を該レール１２の両側に有するようにして、たとえばＩ形鋼により形成されるものであり、両ガイド面２６，２６は相互に近接するにつれて上方位置となるように傾斜して形成される。
【００１６】
トロリー１３の上部は、前記レール１２の下部を両側から抱くように彎曲したアーム状に形成されており、前記両ガイド面２６，２６上をそれぞれ転動するローラ２７，２７がトロリー１３の上部に軸支される。
【００１７】
オーバーヘッドコンベアを構成する複数のトロリー１３…のうち少なくとも１つのトロリー１３には、該トロリー１３の移動方向２８に沿ってローラ２７，２７の前、後少なくとも一方、この参考例ではローラ２７，２７の後方側でガイド面２６，２６上を転動する左右一対の磁気ローラ２９，２９が、着脱を可能として支持される。
【００１８】
図４において、磁気ローラ２９は、Ｎ極およびＳ極を両端に有する複数たとえば４個の円盤状の永久磁石３２，３２…が、それらの永久磁石３２，３２…相互間に非磁性材から成るスペーサ３３，３３…を配置して同軸に連結されて成るものであり、ガイド面２６，２６上を転動することで、該ガイド面２６，２６上の磁性粉を吸着、除去することが可能である。
【００１９】
トロリー１３の上部にローラ２７を軸支する軸３１には支持アーム３０の基端部が揺動可能にかつ着脱可能に連結されており、この支持アーム３０の先端部に、前記軸３１と平行な軸３４を介して前記磁気ローラ２９が軸支される。このように磁気ローラ２９が揺動可能な支持アーム３０の先端部に軸支されることで、磁気ローラ２９は、ガイド面２６の多少の凹凸を吸収して該ガイド面２６に転り接触することができる。
【００２０】
次にこの参考例の作用について説明すると、チェーン１５の走行によりレール１２のガイド面２６，２６上を転動するローラ２７，２７が軸支されたトロリー１３には、該トロリー１３の移動方向２８に沿って前記ローラ２７，２７の前、後少なくとも一方、この参考例ではローラ２７，２７の後方側でガイド面２６，２６上を転動する左右一対の磁気ローラ２９，２９が、着脱可能に支持される。
【００２１】
したがってレール１２およびチェーン１５の接触摩耗等に起因して発生した鉄粉や、鉄粉にオイルが付着したオイルかす等の磁性粉がガイド面２６，２６上に堆積するのに応じてガイド面２６，２６の清掃を実行するにあたっては、少なくとも１つのトロリー１３に左右一対の磁気ローラ２９，２９を装着し、そのトロリー１３を移動方向２８に移動させればよい。
【００２２】
そうすれば、トロリー１３の上部に軸支されてレール１２のガイド面２６，２６上を転動するローラ２７，２７の後方側で、ガイド面２６，２６上を磁気ローラ２９，２９が転動することになり、ガイド面２６，２６上に堆積した鉄粉やオイルかす等の磁性粉が磁気ローラ２９，２９に吸着、除去される。
【００２３】
磁気ローラ２９，２９が、レール１２の全長にわたるガイド面２６，２６上を転動した後には、磁気ローラ２９，２９をトロリー１３から取り外し、磁気ローラ２９，２９に吸着された磁性粉を、所定位置でのエアーブローや、磁力の解除により磁気ローラ２９，２９から除去すればよい。このようにしてガイド面２６，２６上の鉄粉やオイルかす等を、ガイド面２６，２６上から飛散させることなく効率よく除去することができ、鉄粉やオイルかす等がオーバーヘッドコンベアの周辺設備に付着したり、オーバーヘッドコンベアで搬送するワークＷに落下、付着して二次的不良を発生させたりすることがない。しかも磁気ローラ２９，２９をトロリー１３に着脱可能に支持するだけの簡単な構造であり、ガイド面２６，２６をその全長にわたって容易に清掃することができる。
【００２４】
図５および図６は本発明の実施例を示すものであり、上記参考例に対応する部分には同一の参照符号を付す。
【００２５】
オーバーヘッドコンベアを構成する複数のトロリー１３…のうち少なくとも１つのトロリー１３には、該トロリー１３の移動方向２８に沿って間隔をあけた位置でレール１２のガイド面２６…にそれぞれ転り接触する左、右一対ずつ２組の磁気ローラ２９Ｆ…，２９Ｒ…が着脱可能に支持されるものであり、この実施例では磁気ローラ２９Ｆ…がローラ２７よりも前方でガイド面２６上を転動し、磁気ローラ２９Ｒ…がローラ２７よりも後方でガイド面２６上を転動する。
【００２６】
しかも磁気ローラ２９Ｆ，２９Ｒは、上述の参考例の磁気ローラ２９と同様に、Ｎ極およびＳ極を両端に有する複数たとえば４個の円盤状の永久磁石３２，３２…が、それらの永久磁石３２，３２…相互間に非磁性材から成るスペーサ３３，３３…を配置して同軸に連結されて成るものであり、図６で示すように、一方の磁気ローラ２９Ｆのスペーサ３３…を他方の磁気ローラ２９Ｒの永久磁石３２…に対応させるように相互に軸方向にオフセット量δだけオフセットして、トロリー１３にそれぞれ支持される。
【００２７】
この実施例によれば、一方の磁気ローラ２９Ｆで除去し得なかった鉄粉やオイルかす等を、他方の磁気ローラ２９Ｒで吸着、除去するようにして、ガイド面２６上の鉄粉やオイルかす等を確実に除去することができる。
【００２８】
以上、本発明の実施例を説明したが、本発明は上記実施例に限定されるものではなく、特許請求の範囲に記載された本発明を逸脱することなく種々の設計変更を行うことが可能である。
【００２９】
【発明の効果】
以上のように本発明によれば、ガイド面上の鉄粉やオイルかす等をガイド面上から飛散させることなく効率よく除去することができ、鉄粉やオイルかす等がオーバーヘッドコンベアの周辺設備に付着したり、オーバーヘッドコンベアで搬送するワークに落下、付着して二次的不良を発生させたりすることを防止することができ、しかも磁気ローラをトロリーに支持するだけの簡単な構造であり、ガイド面をその全長にわたって容易に清掃することができる。
【００３０】
また特にトロリーの移動方向に沿って間隔をあけた位置に配置される一対の磁気ローラが、一方の磁気ローラのスペーサを他方の磁気ローラの永久磁石に対応させるように相互にオフセットして配置されるので、一方の磁気ローラで除去し得なかった鉄粉やオイルかす等を、他方の磁気ローラで吸着、除去するようにして、ガイド面上の鉄粉やオイルかす等を確実に除去することができる。
【図面の簡単な説明】
【図１】  参考例のオーバーヘッドコンベアの側面図である。
【図２】  図１の２矢視拡大図である。
【図３】  図２の３矢視拡大図である。
【図４】  磁気ローラの正面図である。
【図５】  本発明の実施例の図３に対応した側面図である。
【図６】  一対の磁気ローラの相互オフセットを説明するための図である。
【符号の説明】
１２・・・レール
１３・・・トロリー
１４・・・ハンガー
１５・・・チェーン
２６・・・ガイド面
２７・・・ローラ
２８・・・移動方向
２９Ｆ，２９Ｒ・・・磁気ローラ
３２・・・永久磁石
３３・・・スペーサ
Ｗ・・・・ワーク
【図１】
0004680396.tif 000002
【図２】
0004680396.tif 000003
【図３】
0004680396.tif 000004
【図４】
0004680396.tif 000005
【図５】
0004680396.tif 000006
【図６】
0004680396.tif 000007